【事件の表示】
　特願２０１６−　　２９９６「表示制御装置及びその制御方法、プログラム、並びに記憶媒体」拒絶査定不服審判事件〔平成２９年　７月１３日出願公開、特開２０１７−１２３１２５、請求項の数（１７）〕について、次のとおり審決する。
【結　論】
　原査定を取り消す。
　本願の発明は、特許すべきものとする。
【理　由】
第１　手続の経緯
　本願は、平成２８年１月８日の出願であって、その手続の経緯は以下のとおりである。
平成３１年　１月１０日　　　　手続補正書の提出
令和　元年　８月２７日付け　　拒絶理由通知書
令和　元年１０月２８日付け　　面接記録
令和　元年１０月３１日　　　　意見書、手続補正書の提出
令和　２年　３月３０日付け　　拒絶査定
令和　２年　７月　１日　　　　審判請求書の提出
第２　原査定の概要
　原査定（令和２年３月３０日付け拒絶査定）の概要は次のとおりである。
　この出願の請求項１ないし１７に係る発明は、その出願前に日本国内又は外国において、頒布された下記の引用文献に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　＜引用文献等一覧＞
１.特開２０１３−０８０５１３号公報
２.特開２００２−３１１８２０号公報
第３　本願発明
　本願請求項１ないし１７に係る発明（以下、それぞれ「本願発明１」ないし「本願発明１７」という。）は、令和元年１０月３１日付けの手続補正書で補正された特許請求の範囲の請求項１ないし１７に記載された事項により特定される発明であり、以下のとおりの発明である。
「【請求項１】
　表示手段へのタッチ操作を検出可能なタッチ検出手段と、
　前記表示手段に対する複数箇所へのマルチタッチ操作を検出した場合に、当該マルチタッチ操作の前から継続するタッチ操作による前記表示手段に対するタッチ位置の移動を伴う所定のタッチ操作を検出していなかった場合には、当該マルチタッチ操作に応じて前記表示手段に表示されている表示対象を、当該マルチタッチ操作を行う複数のタッチ位置に基づく位置を基準として拡大または縮小するように制御し、
　前記所定のタッチ操作を検出し、前記所定のタッチ操作から少なくとも１つのタッチが離されないまま、前記表示手段に対するマルチタッチ操作を検出した場合には、当該マルチタッチ操作に応じて前記表示手段に表示されている表示対象を、前記マルチタッチ操作を行う複数のタッチ位置に基づく位置ではなく、前記表示対象の表示範囲の中央の位置を基準として拡大または縮小するように制御する表示制御手段と、を有することを特徴とする表示制御装置。
　　【請求項２】
　表示手段へのタッチ操作を検出可能なタッチ検出手段と、
　タッチ操作による前記表示手段に対するタッチ位置の移動を伴う所定のタッチ操作を検出してから所定時間以内でない場合に、前記表示手段に対する複数箇所へのマルチタッチ操作を検出した場合に、当該マルチタッチ操作に応じて前記表示手段に表示されている表示対象を、当該マルチタッチ操作を行う複数のタッチ位置に基づく位置を基準として拡大または縮小するように制御し、
　前記所定のタッチ操作を検出してから所定時間以内に、前記表示手段に対するマルチタッチ操作を検出した場合には、当該マルチタッチ操作に応じて前記表示手段に表示されている表示対象を、前記マルチタッチ操作を行う複数のタッチ位置に基づく位置ではなく、前記表示対象の表示範囲の中央の位置を基準として拡大または縮小するように制御する表示制御手段と、を有することを特徴とする表示制御装置。
　　【請求項３】
　前記マルチタッチ操作を行う複数のタッチ位置に基づく位置は、前記マルチタッチ操作を行う複数のタッチ位置の中央であることを特徴とする請求項１または２に記載の表示制御装置。
　　【請求項４】
　前記表示制御手段は、前記表示対象の端部が前記表示手段の表示範囲の端部に近い場合には、前記所定のタッチ操作から少なくとも１つのタッチが離されないまま、前記表示手段に対するマルチタッチ操作を検出したことに応じて、当該表示対象の端部に基づく位置を基準として拡大または縮小するように制御することを特徴とする請求項３に記載の表示制御装置。
　　【請求項５】
　前記所定のタッチ操作は、タッチしたまま所定量以上移動する操作であることを特徴とする請求項１から４のいずれか１項に記載の表示制御装置。
　　【請求項６】
　前記所定のタッチ操作は、１箇所へのタッチ操作で行われる操作であることを特徴とする請求項１から５のいずれか１項に記載の表示制御装置。
　　【請求項７】
　前記表示制御手段は、前記所定のタッチ操作に応じて、前記表示手段の表示領域における前記表示対象の表示範囲を変更することを特徴とする請求項１から６のいずれか１項に記載の表示制御装置。
　　【請求項８】
　前記表示制御手段は、前記マルチタッチ操作を検出したことに応じて、拡大または縮小する基準位置を表示することを特徴とする請求項１から７のいずれか１項に記載の表示制御装置。
　　【請求項９】
　前記表示対象は画像であることを特徴とする請求項１から８のいずれか１項に記載の表示制御装置。
　　【請求項１０】
　前記表示対象は文書、Ｗｅｂページおよび地図の少なくとも１つであることを特徴とする請求項１から８のいずれか１項に記載の表示制御装置。
　　【請求項１１】
　前記表示制御装置は撮像装置であることを特徴とする請求項１から１０のいずれか１項に記載の表示制御装置。
　　【請求項１２】
　前記表示制御装置は携帯電話端末、パーソナルコンピュータ、タブレット端末の少なくとも１つであることを特徴とする請求項１から１０のいずれか１項に記載の表示制御装置。
　　【請求項１３】
　第１のタッチ操作で前記所定のタッチ操作が行われた後、１箇所もタッチされていない状態となり、その後に行われた第２のタッチ操作が前記第１のタッチ操作の終了から所定時間内であり、当該第２のタッチ操作によるマルチタッチ操作を検出した場合には、前記表示制御手段は、当該第２のタッチ操作による前記所定のタッチ操作を検出していなくとも、当該第２のタッチ操作によるマルチタッチ操作を行う複数のタッチ位置に基づく位置ではなく、前記表示対象の表示範囲の中央の位置を基準として拡大または縮小するように制御することを特徴とする請求項１から１２のいずれか１項に記載の表示制御装置。
　　【請求項１４】
　表示手段へのタッチ操作を検出するステップと、
　前記表示手段に対する複数箇所へのマルチタッチ操作を検出した場合に、当該マルチタッチ操作の前から継続するタッチ操作による前記表示手段に対するタッチ位置の移動を伴う所定のタッチ操作を検出していなかった場合には、当該マルチタッチ操作に応じて前記表示手段に表示されている表示対象を、当該マルチタッチ操作を行う複数のタッチ位置に基づく位置を基準として拡大または縮小するように制御し、
　前記所定のタッチ操作を検出し、前記所定のタッチ操作から少なくとも１つのタッチが離されないまま、前記表示手段に対するマルチタッチ操作を検出した場合には、当該マルチタッチ操作に応じて前記表示手段に表示されている表示対象を、前記マルチタッチ操作を行う複数のタッチ位置に基づく位置ではなく、前記表示対象の表示範囲の中央の位置を基準として拡大または縮小するように制御するステップと、を有することを特徴とする表示制御装置の制御方法。
　　【請求項１５】
　表示手段へのタッチ操作を検出するステップと、
　タッチ操作による前記表示手段に対するタッチ位置の移動を伴う所定のタッチ操作を検出してから所定時間以内でない場合に、前記表示手段に対する複数箇所へのマルチタッチ操作を検出した場合に、当該マルチタッチ操作に応じて前記表示手段に表示されている表示対象を、当該マルチタッチ操作を行う複数のタッチ位置に基づく位置を基準として拡大または縮小するように制御し、
　前記所定のタッチ操作を検出してから所定時間以内に、前記表示手段に対するマルチタッチ操作を検出した場合には、当該マルチタッチ操作に応じて前記表示手段に表示されている表示対象を、前記マルチタッチ操作を行う複数のタッチ位置に基づく位置ではなく、前記表示対象の表示範囲の中央の位置を基準として拡大または縮小するように制御するステップと、を有することを特徴とする表示制御装置の制御方法。
　　【請求項１６】
　コンピュータを、請求項１から１３のいずれか１項に記載された表示制御装置の各手段として機能させるためのプログラム。
　　【請求項１７】
　コンピュータを、請求項１から１３のいずれか１項に記載された表示制御装置の各手段として機能させるためのプログラムを格納したコンピュータが読み取り可能な記憶媒体。」
第４　引用文献、引用発明等
１　原査定の拒絶の理由に引用された上記引用文献１には、図面とともに次の記載がされている。
「【発明の詳細な説明】
【技術分野】
【０００１】
　この発明は、地図上に地点を表示する技術に関する。
【背景技術】
【０００２】
　従来、タッチパネルに画像が表示されている状態において、ユーザが指でタッチパネル上の２点に接触し、その２点の少なくとも一方を移動させると、タッチパネルにおいてその２点に表示されている部分が指先について行くように、タッチパネルの画像が拡大されたり、移動したり、回転したりする技術が存在する。」
「【００２２】
第７の態様：
また、以下のような構成を採用することが好ましい。地図表示装置であって、
地図画像を表示する表示部と
前記表示部に地図画像を表示中に２カ所の部分を接触された状態で移動を検出する検出部と、
前記検出部が移動を検出すると予め決められた所定の地点を基準点として地図画像の表示を制御する制御手段を備えたことを特徴とする地図表示装置である。
　なお、本発明は、種々の形態で実現することが可能であり、例えば、地図表示方法および地図表示装置、画像表示方法および
画像表示装置
「【００２４】
Ａ．第１実施例：
Ａ１．全体構成：
　図１は、本発明の第１実施例である地図表示システムのハードウェア構成を示す図である。第１実施例の地図表示システムは、携帯電話２００と、サーバ１７０と、を含む。
【００２５】
　携帯電話２００は、ＧＰＳユニット２０１と、表示パネル２０２と、音声出力部２０３と、振動機構２０４と、通信部２０５と、コマンド入力部２０６と、
主制御部２１０
【００２６】
　ＧＰＳユニット２０１は、ＧＰＳ（Global Positioning System／全地球測位システム）の衛星からの電波を受信するためのアンテナを含むユニットである。ＧＰＳのアンテナが受信する電波に基づいて、ＧＰＳユニット２０１は、携帯電話２００の現在位置を表す現在位置情報を生成することができる。
【００２７】
　
表示パネル２０２は、画像を表示することができる液晶ディスプレイである。表示パネル２０２は、表示している画像に応じてパネルの一部に接触されることによりユーザからの指示を受けとることができるタッチパネルとして機能する。
【００２８】
　なお、表示パネル２０２としては、感圧式、静電方式など、様々な方式のタッチパネルを採用することができる。たとえば、「抵抗膜方式（アナログ抵抗膜方式）」、「静電容量方式」、ガラスなどの表面を物理的な振動として伝播する表面弾性波を使用した「超音波表面弾性波方式」、ガラス表面を伝播する音響波を利用してタッチ位置を検出する「音響パルス認識方式」、タッチ面のタッチによる物理的な振動を検出し位置を求める「振動検出方式(DST)」、表示パネルの表面周囲の縦壁および横壁に発光部と受光部とを設け光が遮られた部分を検出する「赤外線遮光方式」、磁界を発生できる特別なペンによりタッチすることでパネル側でその電磁エネルギーを受け取りペンの位置を検出する「電磁誘導方式」、画面近くの主にコーナーに配置された複数個のイメージセンサでタッチする指などの画像を撮影しその画像解析結果からタッチ位置とタッチしたことを判断する「画像認識方式」、静電容量が変化する物体がセンサ電極に近接すると電極の静電容量が増加する特性を利用した「静電センサ方式」、LCD自体が直接イメージセンサとなる「光センサ内蔵LCD方式」など、様々な方式を採用することができる。」
「【００２２】
第７の態様：
また、以下のような構成を採用することが好ましい。地図表示装置であって、
地図画像を表示する表示部と
前記表示部に地図画像を表示中に２カ所の部分を接触された状態で移動を検出する検出部と、
前記検出部が移動を検出すると予め決められた所定の地点を基準点として地図画像の表示を制御する制御手段を備えたことを特徴とする地図表示装置である。
　なお、本発明は、種々の形態で実現することが可能であり、例えば、地図表示方法および地図表示装置、画像表示方法および画像表示装置、それらの方法または装置の機能を実現するためのコンピュータプログラム、そのコンピュータプログラムを記録した記録媒体、そのコンピュータプログラムを含み搬送波内に具現化されたデータ信号、等の形態で実現することができる。」
「【００３８】
Ａ２．地図の表示：
　
図２は、本実施例において地図を表示する際の処理を示すフローチャートである。
図２の処理は、携帯電話２００において行われる様々な処理のうち、地図画像を表示している表示パネル２０２の２カ所の部分を同時に接触されることによってユーザから指示が入力された場合の、地図画像の表示のし方に関する処理である。
【００３９】
　
地図画像を表示している表示パネル２０２の２カ所の部分を同時に接触されると、主制御部２１０は、図２の処理を開始する。ステップＳ１５では、主制御部２１０は、地点データベース１７７を利用して行われた検索の結果、得られた地点（以下、「検索地点」という）が、表示パネル２０２において地図画像上に表示されているか否か、およびＧＰＳユニット２０１を介して得られた現在位置が表示パネル２０２において地図画像上に表示されているか否かを判定する。表示パネル２０２上に検索地点も現在位置も表示されていない場合には、処理は、ステップＳ２０に進む。検索地点または現在位置が表示されている場合には、処理は、ステップＳ４５に進む。
【００４０】
　図３は、ステップＳ２０における処理を説明する図である。図３において、表示パネル２０２の画像を表示できる領域ＤＡには、地図画像ＤＭ１が表示されている。地図画像ＤＭ１は、道路の表示Ｒ０１〜Ｒ０５を含む。なお、図３においては破線で示されている現在位置ＰＰ１は、後に説明するステップＳ３５〜Ｓ７０の処理との比較のために示されているものであり、実際には表示パネル２０２上には表示されていない。
【００４１】
　図２のステップＳ２０において、ユーザが、たとえば親指と人差し指で、それぞれ表示パネル２０２上の２カ所の部分に接触したものとする。親指が押した部分を第１の部分Ｆ１１とし、人差し指が押した部分を第２の部分Ｆ２１とする。そして、ユーザは、表示パネル２０２に接触した状態で親指と人差し指をスライドさせ、それぞれ図３の第３の部分Ｆ１２と、第４の部分Ｆ２２とに移動させたものとする。なお、ここでは、表示パネル２０２に接触された２カ所がいずれも移動する場合について説明するが、いずれか一方のみが移動する場合についても同様の処理が行われる。
【００４２】
　図３の例において、親指で第１の部分Ｆ１１に接触し、人差し指で第２の部分Ｆ２１に接触している状態を「第１の状態」とする。そして、親指で第３の部分Ｆ１２に接触し、人差し指で第４の部分Ｆ２２に接触している状態を「第２の状態」とする。図３において、第１の状態に対応する第１の部分Ｆ１１および第２の部分Ｆ１２、ならびにそれらの中心点を結ぶ線分Ｌｓ１を破線で示す。また、第２の状態に対応する第３の部分Ｆ２１および第４の部分Ｆ２２、ならびにそれらの中心点を結ぶ線分Ｌｓ２を一点鎖線で示す。また、技術の理解を容易にするため、以下では、ユーザの親指が表示パネル２０２に接触している部分を、「親指部分」と略称する。ユーザの人差し指が表示パネル２０２に接触している部分を、「人差し指部分」と略称する。
【００４３】
　第２の状態においては、表示パネル２０２には、第１の状態において表示されていた図３の画像とは異なる画像が表示される。しかし、ここでは、技術の理解を容易にするために、まず、図３を使用してユーザによる操作を説明し、その後、ユーザの操作に応じた主制御部２１０による画像の表示について説明する。
【００４４】
　主制御部２１０は、ユーザによって押される各部分（第１〜第４の部分Ｆ１１，Ｆ２１，Ｆ１２，Ｆ２２）について、所定の基準値以上の圧力で押されている領域の重心を決定する。この重心を、本明細書では便宜的に「中心点」と呼ぶ。図３において、第１〜第４の部分Ｆ１１，Ｆ２１，Ｆ１２，Ｆ２２の中心点をそれぞれ十字で示す。
【００４５】
　また、主制御部２１０は、親指部分の中心点と人差し指部分の中心点の中点を決定する。第１の状態において、親指部分Ｆ１１の中心点と人差し指部分Ｆ２１の中心点の中点は、Ｐｃ１である。第２の状態において、親指部分Ｆ１２の中心点と人差し指部分Ｆ２２の中心点の中点は、Ｐｃ２である。
【００４６】
　さらに、主制御部２１０は、親指部分の中心点と人差し指部分の中心点を両端とする線分の長さおよび角度変位を決定する。第１の状態において、親指部分Ｆ１１の中心点と人差し指部分Ｆ２１の中心点を両端とする線分Ｌｓ１の長さはＬ１である。第２の状態において、親指部分Ｆ１２の中心点と人差し指部分Ｆ２２の中心点を両端とする線分Ｌｓ２の長さはＬ２である。線分Ｌｓ２は、線分Ｌｓ１に対して反時計回りにθ１の角度をなす。ステップＳ２０において、主制御部２１０は、これらの各パラメータを計算する。
【００４７】
　図４は、第２の状態において表示パネル２０２に表示される地図画像ＤＭ２を示す図である。表示パネル２０２を介してユーザによる上記の操作（図３および図４において、第１〜第４の部分Ｆ１１，Ｆ２１，Ｆ１２，Ｆ２２参照）を受け取った主制御部２１０は、第１の状態において、親指部分Ｆ１１と人差し指部分Ｆ２１にそれぞれ表示されていた地図上の地点と同じ地点が、第２の状態において親指部分Ｆ１２と人差し指部分Ｆ２２にそれぞれ表示されるように、地図画像の表示を制御する。その結果、第２の状態において、表示パネル２０２には、図４の示す地図画像ＤＭ２が表示される。すなわち、地図画像ＤＭ２における親指部分Ｆ１２の中心点の地点は、地図画像ＤＭ１における親指部分Ｆ１１の中心点の地点である。地図画像ＤＭ２における人差し指部分Ｆ２１の中心点の地点は、地図画像ＤＭ１における人差し指部分Ｆ２２の中心点の地点である。
【００４８】
　地図画像ＤＭ２は、たとえば、（ｉ）図３の地図画像ＤＭ１において、親指部分Ｆ１１と人差し指部分Ｆ２１との中点Ｐｃ１の位置にあった地図上の地点が、
親指部分Ｆ１２と人差し指部分Ｆ２２との中点Ｐｃ２
（ｉｉｉ）その地図画像を中点Ｐｃ２を中心として（Ｌ２／Ｌ１）倍することにより得る
【００４９】
　ただし、第２の状態において表示される画像ＤＭ２は、単純に上記（ｉ）〜（ｉｉｉ）の処理を行って得られるわけではない。すなわち、主制御部２１０は、上記の処理によって、第２の状態において画像表示領域ＤＡに表示すべき地図画像の縮尺および範囲（上記(i)および(iii)参照）と向き（上記(ii)参照）とを決定する。そのようにして決定された表示すべき地図画像の縮尺と範囲と向きとに応じて、主制御部２１０は、地図画像ＤＭ２を新たに生成する。主制御部２１０は、画像表示領域ＤＡ内に地図画像が表示されるように、必要に応じてサーバ１７０から地図データベース１７８内の地図画像を新たに取得する。第２の状態において表示すべき地図画像ＤＭ２が文字を含む場合であって、それらの文字が地図画像ＤＭ１において表示されていた要素と同じ要素を示すものである場合には、それらの文字は地図画像ＤＭ１の場合と同じ大きさで表示される。また、文字の並びの向きは、地図画像中で表示される要素の向きに応じて決定される。また、地図画像中に含まれる道路の幅は、画像ＤＭ２の生成に際して、単純に拡大または縮小されるわけではなく、地図画像の縮尺に応じて所定の幅で表示される。
【００５０】
　本明細書において「地図画像を拡大する」、「地図画像を縮小する」、「地図画像を回転する」、「地図画像を移動させる」という場合には、上記のように、新たに表示すべき地図画像の縮尺と範囲と向きとを決定し、それら縮尺と範囲と向きに応じた新たな地図画像を生成または取得することを意味する。
【００５１】
　図２の
ステップＳ２０においては、
親指部分Ｆ１１と人差し指部分Ｆ２１にそれぞれ表示されていた地図上の地点が、ユーザの親指と人差し指の動きについて行くように、地図画像が表示される。
【００５２】
　このような処理を行うことで、ユーザは、直感的な操作によって、地図画像の拡大、縮小、移動、および回転を行うことができる。なお、ステップＳ２０の処理を実現する主制御部２１０の機能部を、第１の表示制御部２３２として図１に示す。
【００５３】
　図２の
ステップＳ２５においては、主制御部２１０は、地図を表示する処理を終了する指示が、ユーザによって、または他の処理によって、出されたか否かを判定する。地図を表示する処理を終了する指示が出された場合には、処理を終了する。そうではない場合は、処理はステップＳ３５に進む。
【００５４】
　図２の
ステップＳ３５では、後に説明するステップＳ８５から直接（すなわち、ステップＳ１５を経ずに）、ステップＳ２０に処理が進んだ場合であって、かつ、ユーザから携帯電話２００に入力がない時間が所定時間Ｔｔｈ（たとえば、２０秒）を超えたか否かが判定される。ステップＳ３５の判定結果がＹｅｓである場合には、処理はステップＳ４５に進む。すなわち、ステップＳ３５の判定結果がＹｅｓである場合には、処理は、第１の動作モードから第２の動作モードに切り替わる。一方、ステップＳ３５の判定結果がＮｏである場合には、処理はステップＳ１５に戻る。
【００５５】
　
ステップＳ４５では、主制御部２１０は、表示パネル２０２に表示されている検索地点および現在位置の合計数を調べる。検索地点および現在位置の合計数が１である場合は、処理はステップＳ５０に進む。検索地点および現在位置の合計数が２以上である場合は、処理はステップＳ６０に進む。
【００５６】
　
ステップＳ５０では、主制御部２１０は、表示パネルに表示されている検索地点または現在位置を基準地点に決定する。
表示パネル２０２に現在位置が表示されている場合には、現在位置を基準地点に決定する。また、表示パネル２０２に検索地点が１カ所だけ表示されている場合には、その検索地点を基準地点に決定する。
【００５７】
　
ステップＳ６０では、主制御部２１０は、表示パネルに表示されている検索地点および現在位置のうち、ユーザによって接触された表示パネル２０２上の２カ所の部分の中心点の中点に最も近い地点を基準地点に決定する。
【００５８】
　図５は、処理がステップＳ６０からステップＳ７０に進んだ場合の処理の一例を説明する図である。図５において、表示パネル２０２の画像を表示できる領域ＤＡには、地図画像ＤＭ３が表示されている。地図画像ＤＭ３は、道路の表示Ｒ０１〜Ｒ０５のほか、現在位置を表すマークＰＰと、検索地点を表すマークＭ１〜Ｍ３を含む。検索地点のマークＭ１〜Ｍ３は、ピンの形状を有し、地図画像上において、検索地点にピンが刺されているように表示される。なお、表示パネル２０２にマークが表示される検索地点は、すべての検索地点であってもよく、一部の検索地点であってもよい。また、検索地点を表すマークは、検索地点を特定できるものであれば、他の形状でもよい。
【００５９】
　なお、以下、地図画像中において検索地点を表すマークＭ１〜Ｍ３、またはマークＭ１〜Ｍ３が表す地図画像内の点を、単純に「検索地点Ｍｉ」（ｉ＝１〜３）と表記することがある。また、地図画像中において現在位置を表すマークＰＰ、またはマークＰＰが表す地図画像内の点を、単純に「現在位置ＰＰ」と表記することがある。
【００６０】
　図５の状態は、ユーザが、現在位置周辺の施設を検索して、その結果として得られた施設の地点（検索地点）を表示させた状態である。なお、技術の理解を容易にするため、図５に示す地図画像ＤＭ３の範囲を、図３に示す地図画像ＤＭ１の範囲と同じ範囲にしている（図３および図５の道路の表示Ｒ０１〜Ｒ０５参照）。参考のために図３において破線で示した現在位置ＰＰ１は、図５に示す現在位置ＰＰと一致する位置にある。
【００６１】
　ユーザが、親指と人差し指で表示パネル２０２上の２カ所の部分に接触し、図３および図４で説明したのと同じ操作をしたものとして、以下で表示パネル２０２の表示について説明する（図３〜図５の第１〜第４の部分Ｆ１１，Ｆ２１，Ｆ１２，Ｆ２２参照）。なお、ユーザの操作に関する図中の符号、および「第１の状態」、「第２の状態」などの呼称は、図３および図４の例と同じである。
【００６２】
　図６は、第２の動作モードの第２の状態において表示パネル２０２に表示される地図画像ＤＭ４を示す図である。表示パネル２０２を介してユーザによる第１の部分Ｆ１１と第２の部分Ｆ２１への接触の操作を受け取った主制御部２１０は、ステップＳ６０において、検索地点および現在位置のうち、第１の部分Ｆ１１と第２の部分Ｆ２１の中点Ｐｃ１に最も近い地点を基準地点に決定する。図５および図６の例では、検索地点Ｍ１〜Ｍ３、ならびに現在位置ＰＰのうち、現在位置ＰＰが基準地点とされる。なお、ステップＳ４５，Ｓ５０，Ｓ６０の処理を実現する主制御部２１０の機能部を、地点決定部２３４として図１に示す。
【００６３】
　
ステップＳ７０では
【００６４】
　そして、主制御部２１０は、
第１の状態において表示されていた基準地点の位置が表示パネル２０２上で移動しないようにして、表示パネル２０２に表示する地図画像を改変する。第２の状態において表示される地図画像ＤＭ４（図６参照）は、
（ｉｉｉ）その基準地点を中心としてその地図画像を（Ｌ２／Ｌ１）倍することにより得ることができる。
【００６５】
　
図２のステップＳ６０およびＳ７０においては、
親指部分と人差し指部分とが表示パネル２０２上を移動するにつれて行われる。
【００６６】
　たとえば、第１の動作モードのステップＳ２０の処理においては、図３において破線で示した現在位置ＰＰ１は、図４においては、破線で示すＰＰ２の位置に移動する。なお、参考のために、図４では、表示パネル２０２の画像表示領域ＤＡにおいて、図３の現在位置ＰＰ１と一致する位置を、やはりＰＰ１で示す。なお、ここで、「一致する位置」とは、表示パネル２０２のハードウェア構成（たとえば、画像表示領域ＤＡの画素や外枠）との対比において、同じ位置であることを意味する。
【００６７】
　
第１の動作モードにおけるこのような地点の移動の量は、地図画像上において親指部分および人差し指部分から離れた地点ほど大きくなる。よって、検索地点を表示させている場合や、現在位置を表示させている場合には、それらユーザが着目している可能性の高い地点が、ユーザによる操作の結果、表示パネル２０２の画像表示領域ＤＡ内で大幅に移動し、また、画像表示領域ＤＡから外れてしまったのでは、ユーザの利便性は大きく損なわれる
【００６８】
　しかし、本実施例においては、
検索地点を表示させている場合や、現在位置を表示させている場合には、それらのうちの一つを固定して地図画像の拡大、縮小、および回転が行われる（図２のステップＳ１５，Ｓ７０参照）。このため、ユーザは、自分が着目している地点を見失うことなく、地図画像を拡大、縮小、移動、および回転させることができる。
【００６９】
　また、ユーザは、通常、着目している地点の近傍に二本の指をおいて地図画像の拡大、回転等の処理を行うものである。このため、親指部分と人差し指部分のそれぞれの中心点の中点に近い地点を基準地点に決定して上記のような処理を行うことで（図２のステップＳ６０，Ｓ７０）、よりユーザの利便性を高めることができる。なお、ステップＳ７０の処理を実現する主制御部２１０の機能部を、第２の表示制御部２３３として図１に示す。
【００７０】
　図２の
ステップＳ７５においては、主制御部２１０は、地図を表示する処理を終了する指示が出されたか否かを判定する。地図を表示する処理を終了する指示が出された場合には、処理を終了する。そうではない場合は、処理はステップＳ８５に進む。
【００７１】
　携帯電話２００においては、表示パネル２０２の画像表示領域ＤＡ内の１カ所の部分が押され、その１カ所の部分が表示パネル２０２に対する接触状態を保たれつつ移動した場合には、接触された部分に表示されていた地図上の地点が接触部分の動きについて行くように、地図画像が表示される。すなわち、接触された部分に表示されていた地図上の地点が移動後の接触部分において表示され、他の部分についても、画像表示領域ＤＡ内に地図画像が表示されるように、地図画像として表示される地図上の範囲が変更される。
【００７２】
　図２の
ステップＳ８５では、表示パネル２０２の１カ所の部分が押され、その１カ所の部分が表示パネル２０２に対する接触状態を保たれつつ所定の距離以上、移動したか否かを判定する。接触されている１カ所の部分が表示パネル２０２において所定の距離以上、移動した場合には、処理はステップＳ２０に進む。
一方、ステップＳ８５の判定結果がＮｏである場合には、処理はステップＳ１５に戻る。
【００７３】
　ユーザが、地図画像の表示範囲を所定の距離以上移動させる場合とは、表示パネル２０２の中心近傍に表示されていない地点、たとえば、表示パネル２０２に表示されていない地点をユーザが見ようとする場合である。そのような場合に、表示パネルに表示されている地点を基準とした地図画像の拡大、縮小、および回転を行うと（図２のステップＳ７０、ならびに図５、図６参照）、ユーザが見ようとした地点が表示パネル２０２に表示されなくなるおそれがある。また、そのような地点が表示パネル２０２に表示されるとしても、画像表示領域ＤＡ内において大きく移動し、ユーザがそれを見失う可能性がある。
【００７４】
　このため、ユーザが、表示パネル２０２の中心近傍に表示されていない地点を見ようとした場合には、親指部分Ｆ１１と人差し指部分Ｆ２１にそれぞれ表示されていた地図上の地点が、ユーザの親指と人差し指の動きについて行くように地図画像を表示することが好ましい（図２のステップＳ２０、ならびに図３、図４参照）。本実施例においては、ステップＳ８５のような処理を行うことにより、ユーザが、表示パネル２０２の中心近傍に表示されていない地点を見たい場合に、ユーザの意図に沿った地図画像の表示を行うことができる。
【００７５】
　一方、前述のように、ステップＳ８５からステップＳ１５を経ずにステップＳ２０に処理が進んだ場合であって、かつ、ユーザから携帯電話２００に入力がない時間が所定時間Ｔｔｈを超えた場合には、処理はステップＳ４５に進む（ステップＳ３５参照）。すなわち、ステップＳ８５の処理を経て第２の動作モードから第１の動作モードに切り替わった場合には、ユーザから所定時間Ｔｔｈを超えて携帯電話２００に入力がない場合には、処理は第２の動作モードに戻る。
【００７６】
　ユーザから所定時間以上、入力がない場合は、ユーザは、地図画像の範囲を移動させて表示パネルに表示させた地点（ステップＳ８５参照）を見る意思がなくなっている可能性が高い。そのような場合には、検索地点や現在位置を見失いにくい画像表示（ステップＳ７０参照）を行う方が、ユーザにとって利便性が高い。本実施例においては、ステップＳ３５のような処理を行うことによって、地図画像を表示させる際のユーザの利便性を高めることができる。」
【図２】
　上記記載から、引用文献１には以下の発明（以下、「引用発明」という。）が記載されている。
「画像表示装置であって、
　主制御部２１０を備え、
　画像を表示することができる液晶ディスプレイであって、表示している画像に応じてパネルの一部に接触されることによりユーザからの指示を受けとることができるタッチパネルとして機能する、表示パネル２０２を備え、
　地図画像を表示している表示パネル２０２の２カ所の部分を同時に接触されると、主制御部２１０は、処理を開始し、
　ステップＳ１５では、地点データベース１７７を利用して行われた検索の結果、得られた地点（以下、「検索地点」という）が、表示パネル２０２において地図画像上に表示されているか否か、およびＧＰＳユニット２０１を介して得られた現在位置が表示パネル２０２において地図画像上に表示されているか否かを判定し、表示パネル２０２上に検索地点も現在位置も表示されていない場合には、処理は、ステップＳ２０に進み、検索地点または現在位置が表示されている場合には、処理は、ステップＳ４５に進み、
　ステップＳ２０においては、ユーザの親指と人差し指の動きについて行くようにし、その地図画像を親指部分と人差し指部分との中点を中心として（Ｌ２／Ｌ１）倍することにより得る地図画像が表示され、
　ステップＳ２５においては、地図を表示する処理を終了する指示が、ユーザによって、または他の処理によって、出されたか否かを判定し、地図を表示する処理を終了する指示が出された場合には、処理を終了し、そうではない場合は、処理はステップＳ３５に進み、
　ステップＳ３５では、ステップＳ８５から直接（すなわち、ステップＳ１５を経ずに）、ステップＳ２０に処理が進んだ場合であって、かつ、ユーザから携帯電話２００に入力がない時間が所定時間Ｔｔｈ（たとえば、２０秒）を超えたか否かが判定され、ステップＳ３５の判定結果がＹｅｓである場合には、処理はステップＳ４５に進み、Ｎｏである場合には、処理はステップＳ１５に戻り、
　ステップＳ４５では、表示パネル２０２に表示されている検索地点および現在位置の合計数を調べ、検索地点および現在位置の合計数が１である場合は、処理はステップＳ５０に進み、検索地点および現在位置の合計数が２以上である場合は、処理はステップＳ６０に進み、
　ステップＳ５０では、主制御部２１０は、表示パネルに表示されている検索地点または現在位置を基準地点に決定し、
　ステップＳ６０では、主制御部２１０は、表示パネルに表示されている検索地点および現在位置のうち、ユーザによって接触された表示パネル２０２上の２カ所の部分の中心点の中点に最も近い地点を基準地点に決定し、
　ステップＳ７０では、検索地点を表示させている場合や、現在位置を表示させている場合に、それらのうちの一つを固定して地図画像の拡大、縮小、が行われるため、ユーザは、自分が着目している地点を見失うことなく、地図画像を拡大、縮小、することができるように、親指部分と人差し指部分とが表示パネル２０２上を移動するにつれて、その基準地点を中心としてその地図画像を（Ｌ２／Ｌ１）倍し、
　ステップＳ７５においては、地図を表示する処理を終了する指示が出されたか否かを判定し、地図を表示する処理を終了する指示が出された場合には、処理を終了し、そうではない場合は、処理はステップＳ８５に進み、
　ステップＳ８５では、表示パネル２０２の１カ所の部分が押され、その１カ所の部分が表示パネル２０２に対する接触状態を保たれつつ所定の距離以上、移動したか否かを判定し、接触されている１カ所の部分が表示パネル２０２において所定の距離以上、移動した場合には、処理はステップＳ２０に進み、移動しなかった場合は、処理はステップＳ１５に戻る、
　画像表示装置。」
２　原査定の拒絶の理由に引用された上記引用文献２には、図面とともに次の記載がされている。
「【０００１】
【発明の属する技術分野】本発明は情報処理装置に関し、より詳細には、特にナビゲーションシステムなどに採用され、地図などの画像の縮尺変更操作などの操作性の向上が図られた情報処理装置に関する。」
「【００５９】また、実施の形態（１）に係る情報処理装置を採用したナビゲーションシステムでは、表示画面９ｂ上に表示された画面を通じて、使用者が各種設定を行うことができ、図２に示したような『拡大・縮小の設定』画面を通じて、地図画像が表示された表示画面９ｂに接触させた２本の指を遠ざける動作をしたときに、画像を拡大させるか、又は縮小させるか、他方、２本の指を近づける動作をしたときに、画像を縮小させるか、又は拡大させるかといった設定や、図３に示したような『固定点の設定（拡大・縮小）』画面を通じて、画像を拡大したり、縮小したりするときの固定点を下記１〜４のいずれにするかといった設定を行うことができるようになっている。
【００６０】１  「画像の中心点」
画像の中心点とは、図４（ａ）に示したように、画像が表示画面９ｂの画面一杯に表示されている場合には、表示画面９ｂの中心点ａと同じとなり、図４（ｂ）に示したように、画像が表示画面９ｂ一杯に表示されていない場合には点ｂとなる。
２  「自車位置マークの表示地点」
自車位置マークの表示地点とは、図４（ａ）、図４（ｂ）に示したように、黒三角で表されている自車位置マークＭが表示されている地点である。
【００６１】３．１  「左端」
２本の指を表示画面９ｂに最初に接触させた点（すなわち、移動開始前の接触点）のうち、表示画面９ｂの左端に最も近い点であり、例えば、図５に示したように、右手の親指と人差し指とを使って操作する場合には、親指で触れた点ｃが固定点となる。
３．２  「右端」
２本の指を表示画面９ｂに最初に接触させた点のうち、表示画面９ｂの右端に最も近い点であり、例えば、図５に示したように、右手の親指と人差し指とを使って操作する場合には、人差し指で触れた点ｄが固定点となる。
３．３  「上端」
２本の指を表示画面９ｂに最初に接触させた点のうち、表示画面９ｂの右端に最も近い点であり、例えば、図５に示したように、右手の親指と人差し指とを使って操作する場合には、人差し指で触れた点ｄが固定点となる。
３．４  「下端」
２本の指を表示画面９ｂに最初に接触させた点のうち、表示画面９ｂの右端に最も近い点であり、例えば、図５に示したように、右手の親指と人差し指とを使って操作する場合には、親指で触れた点ｃが固定点となる。
【００６２】４  「２点の中間点」
２本の指を表示画面９ｂに最初に接触させた点の中間点であり、例えば、図５に示したように、右手の親指と人差し指とを使って操作する場合には、親指での接触点と人差し指での接触点とを結ぶ線分の中間点ｅが固定点となる。
【００６３】また、図６に示したような『固定点の設定（回転移動）』画面を通じて、画像を回転移動させるとき（すなわち、画像の表示の向きを変えるとき）の固定点を下記１〜３のいずれにするかといった設定を行うことができるようになっている。
【００６４】１  「画像の中心点」（図４参照）
２  「自車位置マークの表示地点」（図４参照）
３  「回転軸」
回転軸として、表示画面９ｂに接触させた地点であり、例えば、図７（ａ）、（ｂ）に示したように、右手の親指と人差し指とを使い、親指を回転軸として、人差し指を回転移動（点ｇ→点ｇ’）させる場合には、親指での接触点ｆが固定点となる。
【００６５】次に、実施の形態（１）に係る情報処理装置を採用したナビゲーションシステムにおけるマイコン１の行う処理動作を図８〜図１０に示したフローチャートに基づいて説明する。
【００６６】まず、タッチパネルへの物理的な接触があったか否か、すなわち、タッチパネルへの指の接触があったか否かを判断し（ステップＳ１）、タッチパネルへの指の接触がないと判断すれば、処理動作を終了する。一方、タッチパネルへの指の接触があったと判断すれば、タイマｔを起動させる（ステップＳ２）。
【００６７】次にタイマｔの起動後、タッチパネルへの接触箇所が２以上あるか否かを判断し（ステップＳ３）、接触箇所が２以上ない、すなわち１箇所だけであると判断すれば、接触点が移動しているか否かを判断し（ステップＳ４）、接触点が移動している（すなわち、表示画面９ｂ上で指を動かしている）と判断すれば、前記移動が直線移動であるか否か（すなわち、指の動作が直線動作であるか否か）を判断し（ステップＳ５）、前記移動が直線移動である（図１１参照）と判断すれば、その移動方向に合わせて、表示画面９ｂに表示されている画像に対してスクロール処理を施す（ステップＳ６）。
【００６８】一方、ステップＳ５における判断処理で、前記移動が直線移動でないと判断すれば、前記移動が回転移動であるか否か（すなわち、指の動作が回転動作であるか否か）を判断し（ステップＳ７）、前記移動が回転移動である（図１２参照）と判断すれば、回転方向が時計回りであるか否かを判断し（ステップＳ８）、回転方向が時計回りであると判断すれば、表示画面９ｂに表示されている画像に対して拡大処理を施し（ステップＳ９）、回転方向が反時計回りであると判断すれば、表示画面９ｂに表示されている画像に対して縮小処理を施す（ステップＳ１０）。一方、ステップＳ７における判断処理で、前記移動が回転移動でないと判断すれば、そのまま処理動作を終了する。
【００６９】また、ステップＳ４における判断処理で、接触点が移動していない（すなわち、表示画面９上で指を動かしていない）と判断すれば、タッチパネルへの接触がなくなったか否か、すなわち、タッチパネル９ｂに接触していた指がタッチパネル９ｂから離れたか否かを判断し（ステップＳ１１）、タッチパネルから指が離れたと判断すれば、略同一点でのタッチパネルへの再接触があったか否かを判断する（ステップＳ１２）。
【００７０】タッチパネルへの再接触がないと判断すれば、タイマｔが所定時間ｔ1 （例えば、１秒）経過しているか否かを判断し（ステップＳ１３）、タイマｔが所定時間ｔ1 経過している（すなわち、所定時間ｔ1 内での接触回数が１回）と判断すれば、表示画面９ｂに表示されている画像に対して縮小処理を施す（ステップＳ１４）。一方、タイマｔが所定時間ｔ1 経過していないと判断すれば、ステップＳ１２へ戻る。
【００７１】一方、ステップＳ１２における判断処理で、タッチパネルへの物理的な再接触があった、すなわち、所定時間ｔ1 内に２回接触があった（使用者がタッチパネルへ連続的にタッチした）と判断すれば、表示画面９ｂに表示されている画像に対して拡大処理を施す（ステップＳ１５）。
【００７２】また、ステップＳ１１における判断処理で、タッチパネルから指が離れていないと判断すれば、タイマｔが所定時間ｔ1 経過しているか否かを判断し（ステップＳ１６）、タイマｔが所定時間ｔ1 経過していると判断すれば、表示画面９ｂに表示されている画像に対して縮小処理を施し（ステップＳ１４）、一方、タイマｔが所定時間ｔ1 経過していないと判断すれば、ステップＳ１１へ戻る。
【００７３】ところで、ステップＳ３における判断処理で、タッチパネルへの接触箇所が２以上ある（すなわち、タッチパネルへ２本の指が接触している）と判断すれば、２点間の距離の変化を算出し（ステップＳ２１）、２点間の距離が長くなっているか否かを判断し（ステップＳ２２）、２点間の距離が長くなっている（すなわち、使用者によって２本の指を遠ざける動作が行われている）と判断すれば、『固定点の設定（拡大・縮小）』画面（図３参照）を通じて設定された内容に基づいて、拡大処理、又は縮小処理（後のステップＳ２４における処理）を施すにあたっての固定点を算出する（ステップＳ２３）。
【００７４】次に、『拡大・縮小の設定』画面（図２参照）を通じて設定された内容に基づいて、表示画面９ｂに表示されている画像に対して、拡大処理、又は縮小処理を施す（ステップＳ２４）。なお、このときステップＳ２３で算出した固定点を固定するようにして画像処理を施す。
【００７５】一方、ステップＳ２２における判断処理で、２点間の距離が長くなっていないと判断すれば、次に２点間の距離が短くなっているか否かを判断し（ステップＳ２５）、２点間の距離が短くなっている（すなわち、使用者によって２本の指を近づける動作が行われている）と判断すれば、『固定点の設定（拡大・縮小）』画面（図３参照）を通じて設定された内容に基づいて、拡大処理、又は縮小処理（後のステップＳ２７における処理）を施すにあたっての固定点を算出する（ステップＳ２６）。
【００７６】次に、『拡大・縮小の設定』画面（図２参照）を通じて設定された内容に基づいて、表示画面９ｂに表示されている画像に対して、拡大処理、又は縮小処理を施す（ステップＳ２７）。なお、このときステップＳ２６で算出した固定点を固定するようにして画像処理を施す。」
第５　対比・判断
１　本願発明１について
（１）対比
　本願発明１と引用発明を対比すると、次のことがいえる。
ア　引用発明の「画像を表示することができる液晶ディスプレイであって、表示している画像に応じてパネルの一部に接触されることによりユーザからの指示を受けとることができるタッチパネルとして機能する、表示パネル２０２」の「表示している画像に応じてパネルの一部に接触されることによりユーザからの指示を受けとることができるタッチパネル」の機能は、本願発明１の「表示手段へのタッチ操作を検出可能なタッチ」を検出することに相当するから、引用発明の「表示パネル２０２」は、本願発明１の「タッチ検出手段」に対応する。
イ　引用発明の「ステップＳ８５では、表示パネル２０２の１カ所の部分が押され、その１カ所の部分が表示パネル２０２に対する接触状態を保たれつつ所定の距離以上、移動したか否かを判定し、接触されている１カ所の部分が表示パネル２０２において所定の距離以上、移動した場合には、処理はステップＳ２０に進み、移動しなかった場合は、処理はステップＳ１５に戻る、」の「表示パネル２０２の１カ所の部分が押され、その１カ所の部分が表示パネル２０２に対する接触状態を保たれつつ所定の距離以上、移動した」ことは、本願発明１の「継続するタッチ操作による前記表示手段に対するタッチ位置の移動を伴う所定のタッチ操作」に相当する。
　そして、引用発明は、「表示パネル２０２の１カ所の部分が押され、その１カ所の部分が表示パネル２０２に対する接触状態を保たれつつ所定の距離以上、移動したか否かを判定し、接触されている１カ所の部分が表示パネル２０２において所定の距離以上、移動した場合には、処理はステップＳ２０に進み」、「ステップＳ２０」において、「ユーザの親指と人差し指の動きについて行くようにし、その地図画像を親指部分と人差し指部分との中点を中心として（Ｌ２／Ｌ１）倍することにより得る地図画像が表示され」るのであるから、この「ユーザの親指と人差し指の動き」を検出することは、本願発明１の「前記表示手段に対する複数箇所へのマルチタッチ操作を検出」することに相当する。
　また、引用発明の「ユーザの親指と人差し指の動きについて行くようにし、その地図画像を親指部分と人差し指部分との中点を中心として（Ｌ２／Ｌ１）倍することにより得る地図画像が表示され」ることと、本願発明１の「当該マルチタッチ操作に応じて前記表示手段に表示されている表示対象を、前記マルチタッチ操作を行う複数のタッチ位置に基づく位置ではなく、前記表示対象の表示範囲の中央の位置を基準として拡大または縮小するように制御する」することとは、「当該マルチタッチ操作に応じて前記表示手段に表示されている表示対象を、拡大または縮小するように操作する」点で共通する。
ウ　また、引用発明の「ステップＳ８５では、表示パネル２０２の１カ所の部分が押され、その１カ所の部分が表示パネル２０２に対する接触状態を保たれつつ所定の距離以上、移動したか否かを判定し、接触されている１カ所の部分が表示パネル２０２において所定の距離以上、移動した場合には、処理はステップＳ２０に進み、移動しなかった場合は、処理はステップＳ１５に戻る、」の「表示パネル２０２の１カ所の部分が押され、その１カ所の部分が表示パネル２０２に対する接触状態を保たれつつ所定の距離以上、」「移動しなかった」ことは、本願発明１の「当該マルチタッチ操作の前から継続するタッチ操作による前記表示手段に対するタッチ位置の移動を伴う所定のタッチ操作を検出していなかった」ことに相当する。
　そして、引用発明では、「ステップＳ１５では、地点データベース１７７を利用して行われた検索の結果、得られた地点（以下、「検索地点」という）が、表示パネル２０２において地図画像上に表示されているか否か、およびＧＰＳユニット２０１を介して得られた現在位置が表示パネル２０２において地図画像上に表示されているか否かを判定し、表示パネル２０２上に検索地点も現在位置も表示されていない場合には、処理は、ステップＳ２０に進み、検索地点または現在位置が表示されている場合には、処理は、ステップＳ４５に進み、」
「ステップＳ２０においては、ユーザの親指と人差し指の動きについて行くようにし、その地図画像を親指部分と人差し指部分との中点を中心として（Ｌ２／Ｌ１）倍することにより得る地図画像が表示され、」
「ステップＳ４５では、表示パネル２０２に表示されている検索地点および現在位置の合計数を調べ、検索地点および現在位置の合計数が１である場合は、処理はステップＳ５０に進み、検索地点および現在位置の合計数が２以上である場合は、処理はステップＳ６０に進み、
　ステップＳ５０では、主制御部２１０は、表示パネルに表示されている検索地点または現在位置を基準地点に決定し、
　ステップＳ６０では、主制御部２１０は、表示パネルに表示されている検索地点および現在位置のうち、ユーザによって接触された表示パネル２０２上の２カ所の部分の中心点の中点に最も近い地点を基準地点に決定し、
　ステップＳ７０では、検索地点を表示させている場合や、現在位置を表示させている場合に、それらのうちの一つを固定して地図画像の拡大、縮小、が行われるため、ユーザは、自分が着目している地点を見失うことなく、地図画像を拡大、縮小、することができるように、親指部分と人差し指部分とが表示パネル２０２上を移動するにつれて、その基準地点を中心としてその地図画像を（Ｌ２／Ｌ１）倍し」ているのであるから、引用発明の、上記ステップの、ステップ２０の「ユーザの親指と人差し指の動きについて行くようにし、その地図画像を親指部分と人差し指部分との中点を中心として（Ｌ２／Ｌ１）倍することにより得る地図画像が表示され」る動作、及びステップ７０の「検索地点を表示させている場合や、現在位置を表示させている場合に、それらのうちの一つを固定して地図画像の拡大、縮小、が行われるため、ユーザは、自分が着目している地点を見失うことなく、地図画像を拡大、縮小、することができるように、親指部分と人差し指部分とが表示パネル２０２上を移動するにつれて、その基準地点を中心としてその地図画像を（Ｌ２／Ｌ１）倍する」動作と、本願発明１の「当該マルチタッチ操作に応じて前記表示手段に表示されている表示対象を、当該マルチタッチ操作を行う複数のタッチ位置に基づく位置を基準として拡大または縮小するように制御」することとは、「当該マルチタッチ操作に応じて前記表示手段に表示されている表示対象を、拡大または縮小するように制御」する点で共通する。
エ　そして、引用発明の「主制御部２１０」は、上記イ、ウで検討した制御を処理しているから、引用発明の「主制御部２１０」は、本願発明１の「表示制御手段」に対応する。
オ　してみると、引用発明の「画像表示装置」は、本願発明１の「表示制御装置」に対応する。
カ　上記アないしオから、本願発明１と引用発明とは、以下の点で一致し、また相違する。
[一致点]
「表示手段へのタッチ操作を検出可能なタッチ検出手段と、
　前記表示手段に対する複数箇所へのマルチタッチ操作を検出した場合に、当該マルチタッチ操作の前から継続するタッチ操作による前記表示手段に対するタッチ位置の移動を伴う所定のタッチ操作を検出していなかった場合には、当該マルチタッチ操作に応じて前記表示手段に表示されている表示対象を、拡大または縮小するように制御し、
　前記所定のタッチ操作を検出し、前記所定のタッチ操作から少なくとも１つのタッチが離されないまま、前記表示手段に対するマルチタッチ操作を検出した場合には、当該マルチタッチ操作に応じて前記表示手段に表示されている表示対象を、拡大または縮小するように制御する表示制御手段と、を有することを特徴とする表示制御装置。」
［相違点１］
　「前記表示手段に対する複数箇所へのマルチタッチ操作を検出した場合に、当該マルチタッチ操作の前から継続するタッチ操作による前記表示手段に対するタッチ位置の移動を伴う所定のタッチ操作を検出していなかった場合に、当該マルチタッチ操作に応じて前記表示手段に表示されている表示対象を、拡大または縮小するように制御」することについて、本願発明１は、「当該マルチタッチ操作に応じて前記表示手段に表示されている表示対象を、当該マルチタッチ操作を行う複数のタッチ位置に基づく位置を基準として拡大または縮小するように制御」しているのに対して、引用発明は、「表示パネル２０２上に検索地点も現在位置も表示されていない場合には」、「ユーザの親指と人差し指の動きについて行くようにし、その地図画像を親指部分と人差し指部分との中点を中心として（Ｌ２／Ｌ１）倍することにより得る地図画像が表示され」る制御を行い、「検索地点または現在位置が表示されている場合」について、「検索地点および現在位置の合計数が２以上である場合」に、「表示パネルに表示されている検索地点および現在位置のうち、ユーザによって接触された表示パネル２０２上の２カ所の部分の中心点の中点に最も近い地点」を「基準地点」とし、「基準地点を中心としてその地図画像を（Ｌ２／Ｌ１）倍」する制御を行っている（これら２つの制御は、本願発明１の「当該マルチタッチ操作を行う複数のタッチ位置に基づく位置を基準として拡大または縮小するように制御」することに対応する。）ものの、「検索地点または現在位置が表示されている場合」について、「検索地点および現在位置の合計数が１である場合は」、「表示パネルに表示されている検索地点または現在位置」を「基準地点」とし、「基準地点を中心としてその地図画像を（Ｌ２／Ｌ１）倍」する制御を行っている点。
［相違点２］
　「前記所定のタッチ操作を検出し、前記所定のタッチ操作から少なくとも１つのタッチが離されないまま、前記表示手段に対するマルチタッチ操作を検出した場合には、当該マルチタッチ操作に応じて前記表示手段に表示されている表示対象を、拡大または縮小するように制御する」ことについて、本願発明１は、「当該マルチタッチ操作に応じて前記表示手段に表示されている表示対象を、前記マルチタッチ操作を行う複数のタッチ位置に基づく位置ではなく、前記表示対象の表示範囲の中央の位置を基準として拡大または縮小するように制御」しているのに対して、引用発明は、「ユーザの親指と人差し指の動きについて行くようにし、その地図画像を親指部分と人差し指部分との中点を中心として（Ｌ２／Ｌ１）倍することにより得る地図画像が表示され」る制御を行う点。
（２）相違点についての判断
　上記相違点１について検討する。
　引用文献２には、上記相違点１に係る制御は記載されておらず、また周知の制御であるともいえない。
　加えて、引用発明は、「ステップＳ１５では、地点データベース１７７を利用して行われた検索の結果、得られた地点（以下、「検索地点」という）が、表示パネル２０２において地図画像上に表示されているか否か、およびＧＰＳユニット２０１を介して得られた現在位置が表示パネル２０２において地図画像上に表示されているか否かを判定し、」「表示パネル２０２上に」「検索地点または現在位置が表示されている場合には、処理は、ステップＳ４５に進み、」「ステップＳ４５では、表示パネル２０２に表示されている検索地点および現在位置の合計数を調べ、
検索地点および現在位置の合計数が１である場合
　ステップＳ５０では、主制御部２１０は、
表示パネルに表示されている検索地点または現在位置を基準地点に決定
　ステップＳ６０では、主制御部２１０は、表示パネルに表示されている検索地点および現在位置のうち、ユーザによって接触された表示パネル２０２上の２カ所の部分の中心点の中点に最も近い地点を基準地点に決定し、
　ステップＳ７０では、
検索地点を表示させている場合や、現在位置を表示させている場合に、それらのうちの一つを固定して地図画像の拡大、縮小、が行われるため、ユーザは、自分が着目している地点を見失うことなく、地図画像を拡大、縮小
基準地点を中心としてその地図画像を（Ｌ２／Ｌ１）倍」する
　そして、上記のとおり、引用発明は、ステップＳ５０で決定された「基準地点」（表示パネルに表示されている検索地点または現在位置）を中心とし、ステップＳ７０により地図画像を拡大、縮小するものであり、このことにより、「ユーザは、自分が着目している地点を見失うことなく、地図画像を拡大、縮小、することができる」ものである。
　そうすると、引用発明の上記制御に換えて、相違点１に係る本願発明１の「当該マルチタッチ操作に応じて前記表示手段に表示されている表示対象を、当該マルチタッチ操作を行う複数のタッチ位置に基づく位置を基準として拡大または縮小するように制御」するようにした場合、検索地点や現在位置に関係なく、拡大、縮小が行われ、ユーザが着目している地点を見失うこととなるから、引用発明に、本願発明１の上記制御を採用することに、動機付けがあるとはいえない。
　したがって、上記相違点２について判断するまでもなく、本願発明１は、当業者であっても、引用発明及び引用文献２に記載された技術的事項に基づいて容易に発明できたものとはいえない。
２　本願発明２について
（１）対比
　本願発明２と引用発明を対比すると、次のことがいえる。
ア　引用発明の「画像を表示することができる液晶ディスプレイであって、表示している画像に応じてパネルの一部に接触されることによりユーザからの指示を受けとることができるタッチパネルとして機能する、表示パネル２０２」の「表示している画像に応じてパネルの一部に接触されることによりユーザからの指示を受けとることができるタッチパネル」の機能は、本願発明２の「表示手段へのタッチ操作を検出可能なタッチ」を検出することに相当するから、引用発明の「表示パネル２０２」は、本願発明１の「タッチ検出手段」に対応する。
イ　引用発明の「ステップＳ８５」の」「表示パネル２０２の１カ所の部分が押され、その１カ所の部分が表示パネル２０２に対する接触状態を保たれつつ所定の距離以上、移動した」ことは、本願発明２の「タッチ操作による前記表示手段に対するタッチ位置の移動を伴う所定のタッチ操作」に相当する。
ウ　そして、「ステップＳ８５では、表示パネル２０２の１カ所の部分が押され、その１カ所の部分が表示パネル２０２に対する接触状態を保たれつつ所定の距離以上、移動したか否かを判定し、接触されている１カ所の部分が表示パネル２０２において所定の距離以上、移動した場合には、処理はステップＳ２０に進み」、「ステップＳ３５では、ステップＳ８５から直接（すなわち、ステップＳ１５を経ずに）、ステップＳ２０に処理が進んだ場合であって、かつ、ユーザから携帯電話２００に入力がない時間が所定時間Ｔｔｈ（たとえば、２０秒）を超えたか否かが判定され、ステップＳ３５の判定結果がＹｅｓである場合には、処理はステップＳ４５に進み」の、「入力がない時間が所定時間Ｔｔｈ」を越えた場合（Ｙｅｓである場合）は、本願発明２の「タッチ操作による前記表示手段に対するタッチ位置の移動を伴う所定のタッチ操作を検出してから所定時間以内でない場合に、前記表示手段に対する複数箇所へのマルチタッチ操作を検出した場合」に相当する。
エ　そして、引用発明では、「ステップＳ４５では、表示パネル２０２に表示されている検索地点および現在位置の合計数を調べ、検索地点および現在位置の合計数が１である場合は、処理はステップＳ５０に進み、検索地点および現在位置の合計数が２以上である場合は、処理はステップＳ６０に進み、
　ステップＳ５０では、主制御部２１０は、表示パネルに表示されている検索地点または現在位置を基準地点に決定し、
　ステップＳ６０では、主制御部２１０は、表示パネルに表示されている検索地点および現在位置のうち、ユーザによって接触された表示パネル２０２上の２カ所の部分の中心点の中点に最も近い地点を基準地点に決定し、
　ステップＳ７０では、検索地点を表示させている場合や、現在位置を表示させている場合に、それらのうちの一つを固定して地図画像の拡大、縮小、が行われるため、ユーザは、自分が着目している地点を見失うことなく、地図画像を拡大、縮小、することができるように、親指部分と人差し指部分とが表示パネル２０２上を移動するにつれて、その基準地点を中心としてその地図画像を（Ｌ２／Ｌ１）倍し」ているのであるから、引用発明の、上記ステップの、ステップ７０の「検索地点を表示させている場合や、現在位置を表示させている場合に、それらのうちの一つを固定して地図画像の拡大、縮小、が行われるため、ユーザは、自分が着目している地点を見失うことなく、地図画像を拡大、縮小、することができるように、親指部分と人差し指部分とが表示パネル２０２上を移動するにつれて、その基準地点を中心としてその地図画像を（Ｌ２／Ｌ１）倍する」動作と、本願発明２の「当該マルチタッチ操作に応じて前記表示手段に表示されている表示対象を、当該マルチタッチ操作を行う複数のタッチ位置に基づく位置を基準として拡大または縮小するように制御」することとは、「当該マルチタッチ操作に応じて前記表示手段に表示されている表示対象を、拡大または縮小するように制御」する点で共通する。
オ　加えて、引用発明の「ステップＳ８５では、表示パネル２０２の１カ所の部分が押され、その１カ所の部分が表示パネル２０２に対する接触状態を保たれつつ所定の距離以上、移動したか否かを判定し、接触されている１カ所の部分が表示パネル２０２において所定の距離以上、移動した場合には、処理はステップＳ２０に進み」、「ステップＳ３５では、ステップＳ８５から直接（すなわち、ステップＳ１５を経ずに）、ステップＳ２０に処理が進んだ場合であって、かつ、ユーザから携帯電話２００に入力がない時間が所定時間Ｔｔｈ（たとえば、２０秒）を超えたか否かが判定され、ステップＳ３５の判定結果が」「Ｎｏである場合には、処理はステップＳ１５に戻り」の、「入力がない時間が所定時間Ｔｔｈ」を越えなかった場合（Ｎｏである場合）は、本願発明２の「前記所定のタッチ操作を検出してから所定時間以内に、前記表示手段に対するマルチタッチ操作を検出した場合」に相当する。
カ　そして、引用発明では、「ステップＳ１５では、地点データベース１７７を利用して行われた検索の結果、得られた地点（以下、「検索地点」という）が、表示パネル２０２において地図画像上に表示されているか否か、およびＧＰＳユニット２０１を介して得られた現在位置が表示パネル２０２において地図画像上に表示されているか否かを判定し、表示パネル２０２上に検索地点も現在位置も表示されていない場合には、処理は、ステップＳ２０に進み、検索地点または現在位置が表示されている場合には、処理は、ステップＳ４５に進み、」
「ステップＳ２０においては、ユーザの親指と人差し指の動きについて行くようにし、その地図画像を親指部分と人差し指部分との中点を中心として（Ｌ２／Ｌ１）倍することにより得る地図画像が表示され、」
「ステップＳ４５では、表示パネル２０２に表示されている検索地点および現在位置の合計数を調べ、検索地点および現在位置の合計数が１である場合は、処理はステップＳ５０に進み、検索地点および現在位置の合計数が２以上である場合は、処理はステップＳ６０に進み、
　ステップＳ５０では、主制御部２１０は、表示パネルに表示されている検索地点または現在位置を基準地点に決定し、
　ステップＳ６０では、主制御部２１０は、表示パネルに表示されている検索地点および現在位置のうち、ユーザによって接触された表示パネル２０２上の２カ所の部分の中心点の中点に最も近い地点を基準地点に決定し、
　ステップＳ７０では、検索地点を表示させている場合や、現在位置を表示させている場合に、それらのうちの一つを固定して地図画像の拡大、縮小、が行われるため、ユーザは、自分が着目している地点を見失うことなく、地図画像を拡大、縮小、することができるように、親指部分と人差し指部分とが表示パネル２０２上を移動するにつれて、その基準地点を中心としてその地図画像を（Ｌ２／Ｌ１）倍し」ているのであるから、引用発明の、上記ステップの、ステップ２０の「ユーザの親指と人差し指の動きについて行くようにし、その地図画像を親指部分と人差し指部分との中点を中心として（Ｌ２／Ｌ１）倍することにより得る地図画像が表示され」る動作、及びステップ７０の「検索地点を表示させている場合や、現在位置を表示させている場合に、それらのうちの一つを固定して地図画像の拡大、縮小、が行われるため、ユーザは、自分が着目している地点を見失うことなく、地図画像を拡大、縮小、することができるように、親指部分と人差し指部分とが表示パネル２０２上を移動するにつれて、その基準地点を中心としてその地図画像を（Ｌ２／Ｌ１）倍する」動作と、本願発明２の「当該マルチタッチ操作に応じて前記表示手段に表示されている表示対象を、前記マルチタッチ操作を行う複数のタッチ位置に基づく位置ではなく、前記表示対象の表示範囲の中央の位置を基準として拡大または縮小するように制御する」することとは、「当該マルチタッチ操作に応じて前記表示手段に表示されている表示対象を、拡大または縮小するように制御」する点で共通する。
キ　そして、引用発明の「主制御部２１０」は、上記イないしカで検討した制御を処理しているから、引用発明の「主制御部２１０」は、本願発明２の「表示制御手段」に対応する。
ク　してみると、引用発明の「画像表示装置」は、本願発明２の「表示制御装置」に対応する。
ケ　上記アないしクから、本願発明２と引用発明とは、以下の点で一致し、また相違する。
[一致点]
「表示手段へのタッチ操作を検出可能なタッチ検出手段と、
　タッチ操作による前記表示手段に対するタッチ位置の移動を伴う所定のタッチ操作を検出してから所定時間以内でない場合に、前記表示手段に対する複数箇所へのマルチタッチ操作を検出した場合に、当該マルチタッチ操作に応じて前記表示手段に表示されている表示対象を拡大または縮小するように制御し、
　前記所定のタッチ操作を検出してから所定時間以内に、前記表示手段に対するマルチタッチ操作を検出した場合には、当該マルチタッチ操作に応じて前記表示手段に表示されている表示対象を拡大または縮小するように制御する表示制御手段と、を有することを特徴とする表示制御装置。」
［相違点３］
　「タッチ操作による前記表示手段に対するタッチ位置の移動を伴う所定のタッチ操作を検出してから所定時間以内でない場合に、前記表示手段に対する複数箇所へのマルチタッチ操作を検出した場合に、当該マルチタッチ操作に応じて前記表示手段に表示されている表示対象を拡大または縮小するように制御」することについて、本願発明２は、「タッチ操作による前記表示手段に対するタッチ位置の移動を伴う所定のタッチ操作を検出してから所定時間以内でない場合に、前記表示手段に対する複数箇所へのマルチタッチ操作を検出した場合に、当該マルチタッチ操作に応じて前記表示手段に表示されている表示対象を、当該マルチタッチ操作を行う複数のタッチ位置に基づく位置を基準として拡大または縮小するように制御し」ているのに対して、引用発明は、「表示パネルに表示されている検索地点および現在位置のうち、ユーザによって接触された表示パネル２０２上の２カ所の部分の中心点の中点に最も近い地点」を「基準地点」とし、その基準地点を中心としてその地図画像を（Ｌ２／Ｌ１）倍」する制御を行っているものの（本願発明２の「当該マルチタッチ操作を行う複数のタッチ位置に基づく位置を基準として拡大または縮小するように制御」することに対応する。）、「検索地点または現在位置が表示されている場合」について、「検索地点および現在位置の合計数が１である場合は」、「表示パネルに表示されている検索地点または現在位置」を「基準地点」とし、「基準地点を中心としてその地図画像を（Ｌ２／Ｌ１）倍」する制御を行っており、本願発明２の「当該マルチタッチ操作を行う複数のタッチ位置に基づく位置を基準として拡大または縮小するように制御」を行っているとはいえない点。
［相違点４］
　「前記所定のタッチ操作を検出してから所定時間以内に、前記表示手段に対するマルチタッチ操作を検出した場合には、当該マルチタッチ操作に応じて前記表示手段に表示されている表示対象を拡大または縮小するように制御する」点について、本願発明２は、「前記所定のタッチ操作を検出してから所定時間以内に、前記表示手段に対するマルチタッチ操作を検出した場合には、当該マルチタッチ操作に応じて前記表示手段に表示されている表示対象を、前記マルチタッチ操作を行う複数のタッチ位置に基づく位置ではなく、前記表示対象の表示範囲の中央の位置を基準として拡大または縮小するように制御」しているのに対して、引用発明は、そのような制御をしていない点。
（２）相違点についての判断
　上記相違点３について検討する。
　引用文献２には、上記相違点３に係る制御は記載されておらず、また周知の制御であるともいえない。
　加えて、引用発明は、「ステップＳ４５では、表示パネル２０２に表示されている検索地点および現在位置の合計数を調べ、
検索地点および現在位置の合計数が１である場合
　ステップＳ５０では、主制御部２１０は、
表示パネルに表示されている検索地点または現在位置を基準地点に決定
　ステップＳ６０では、主制御部２１０は、表示パネルに表示されている検索地点および現在位置のうち、ユーザによって接触された表示パネル２０２上の２カ所の部分の中心点の中点に最も近い地点を基準地点に決定し、
　ステップＳ７０では、
検索地点を表示させている場合や、現在位置を表示させている場合に、それらのうちの一つを固定して地図画像の拡大、縮小、が行われるため、ユーザは、自分が着目している地点を見失うことなく、地図画像を拡大、縮小
基準地点を中心としてその地図画像を（Ｌ２／Ｌ１）倍」する
　そして、上記のとおり、引用発明は、ステップＳ５０で決定された「基準地点」（表示パネルに表示されている検索地点または現在位置）を中心とし、ステップＳ７０により地図画像を拡大、縮小するものであり、このことにより、「ユーザは、自分が着目している地点を見失うことなく、地図画像を拡大、縮小、することができる」ものである。
　そうすると、引用発明の上記制御に換えて、相違点３に係る本願発明２の「当該マルチタッチ操作に応じて前記表示手段に表示されている表示対象を、当該マルチタッチ操作を行う複数のタッチ位置に基づく位置を基準として拡大または縮小するように制御」するようにした場合、検索地点や現在位置に関係なく、拡大、縮小が行われ、ユーザが着目している地点を見失うこととなるから、引用発明に、本願発明２の上記制御を採用することには、動機付けがあるとはいえない。
　したがって、上記相違点４について判断するまでもなく、本願発明２は、当業者であっても、引用発明及び引用文献２に記載された技術的事項に基づいて容易に発明できたものとはいえない。
３　本願発明３ないし１３について
　本願発明３ないし１３は、本願発明１の上記相違点１に係る制御、もしくは、本願発明２の上記相違点３に係る制御を行うことを含む発明であるから、当業者であっても、引用発明及び引用文献２に記載された技術的事項に基づいて容易に発明できたものとはいえない。
４　本願発明１４および１５について
　本願発明１４および１５は、それぞれ本願発明１および２に対応する制御方法の発明であり、それぞれ相違点１および３に係る制御を行っているから、本願発明１および２と同様の理由により、当業者であっても、引用発明及び引用文献２に記載された技術的事項に基づいて容易に発明できたものとはいえない。
５　本願発明１６について
　本願発明１６は、コンピュータを本願発明１ないし１３の表示制御装置の各手段として機能させるプログラムの発明であり、相違点１もしくは３に係る制御を含んでいるから、本願発明１および２と同様の理由により、当業者であっても、引用発明及び引用文献２に記載された技術的事項に基づいて容易に発明できたものとはいえない。
６　本願発明１７について
　本願発明１７は、コンピュータを本願発明１ないし１３の表示制御装置の各手段として機能させるプログラムを格納したコンピュータが読みとり可能な記憶媒体の発明であり、相違点１もしくは３に係る制御を含んでいるから、本願発明１および２と同様の理由により、当業者であっても、引用発明及び引用文献２に記載された技術的事項に基づいて容易に発明できたものとはいえない。
第６　むすび
　以上のとおり、本願発明１ないし１７は、当業者が引用発明および引用文献２に記載された技術的事項に基づいて容易に発明をすることができたものではない。したがって、原査定の理由によっては、本願を拒絶することはできない。
　また、他に本願を拒絶すべき理由を発見しない。
　よって、結論のとおり審決する。